(57)【要約】      （修正有）【課題】ティッシュ又はキッチンペーパーを片手でも引き出しやすくし、持ち運ぶのにも便利なティッシュ・キッチンペーパーケースを提供する。【解決手段】ティッシュ・キッチンペーパーケース１は、複数枚のティッシュ又はキッチンペーパーである紙片が一体にされ、一方向から連続的に各紙片を引き出すことができるように折り畳まれた紙片体を収容するティッシュ・キッチンペーパーケースであって、上方に開口４を有し、内部に紙片体を収容する袋状の本体１０と、本体１０の開口４近傍に設けられた手さげ紐２と、を備え、本体１０には、紙片体が、各紙片を引き出す方向が下方に向けて収容され、底部に紙片を引き出す引き出し口３が形成されている。【選択図】図１
0003187705.tif 000002
【実用新案登録請求の範囲】
【請求項１】
複数枚のティッシュ又はキッチンペーパーである紙片が一体にされ、一方向から連続的に各紙片を引き出すことができるように折り畳まれた紙片体を収容するティッシュ・キッチンペーパーケースであって、
上方に開口を有し、内部に紙片体を収容する袋状の本体と、
本体の開口近傍に設けられた手さげ紐と、を備え、
本体には、紙片体が、各紙片を引き出す方向が下方に向けて収容され、底部に紙片を引き出す引き出し口が形成されているティッシュ・キッチンペーパーケース。
【考案の詳細な説明】
【技術分野】
【０００１】
本考案はティッシュ・キッチンペーパーなどの交互に折り重なって連続的に引き出す事が可能な紙を収納する紙袋型のティッシュ・キッチンペーパーケースに関する。
【背景技術】
【０００２】
従来のティッシュケースは箱型で机などの平面上もしくはケースを横にして壁などに取り付けるタイプか、磁石を使って冷蔵庫などに取り付けられるティッシュケースである。
このようなティッシュケースとして、二つ折りされ互いに係合しているティッシュペーパーが収納されているティッシュボックスには、通常上面の所定位置にティッシュペーパーを引き出すための引き出し口が設けられており、この引き出し口よりティッシュペーパーを一組ずつ又は１枚ずつ引き出す事ができるようになっている（特許文献１参照）。
【先行技術文献】
【特許文献】
【０００３】
【特許文献１】特開２００３−６３５７７号公報
【考案の概要】
【考案が解決しようとする課題】
【０００４】
しかしながら、これら従来技術によれば、このようなティッシュボックスは、机や棚や台所等の適当な平面状を成している場所に置いて使用されているが、ティッシュボックスを置くためのスペースが必要になり、特にティッシュペーパーの使用場所が台所や洗面所など調理器具や洗面道具など集中して配備されているような使用したい場所の近傍に置くための適当な場所が無い場合があり、また上記以外の場所であっても適当な場所に置くと邪魔になって別の場所に移動させてしまうため、いざティッシュペーパーを使用しようとしたときティッシュボックスが手元に無く辺り一体をさがさなければならず、時間と手間を費やしてしまったり、ティッシュボックス内のティッシュペーパーが少なくなると、カートン全体の重量が軽くなるので、ティッシュペーパーをティッシュボックスから引き出す場合にティッシュボックスごと持ち上がってしまってティッシュペーパーを片手だけで引き出す事が出来なくなってしまったりすることがあった。
また箱型だと一目でティッシュケースだとわかる見た目なので、玄関などのティッシュケースを置くにはふさわしくない場所には置くことができなかった。
【０００５】
本考案は、ティッシュ又はキッチンペーパーを片手でも引き出しやすくし、持ち運ぶのにも便利なティッシュ・キッチンペーパーケースを提供する。
【課題を解決するための手段】
【０００６】
以上の課題を解決するために、本出願人は上部に紐を取り付けデザイン豊富な紙袋型にすることで見た目の解決と、どこにでも下げられ持ち運びを便利な物にし、引き出し口を下部に設けた事で引き出しやすくする事を特徴とするティッシュ・キッチンペーパーケースである。具体的には、以下のとおりである。
【０００７】
複数枚のティッシュ又はキッチンペーパーである紙片が一体にされ、一方向から連続的に各紙片を取り出すことができるように折り畳まれた紙片体を収容するティッシュ・キッチンペーパーケースであって、
上方に開口を有し、内部に紙片体を収容する袋状の本体と、
本体の開口近傍に設けられた手さげ紐と、を備え、
本体には、紙片体が、各紙片を引き出す方向が下方に向けて収容され、底部に紙片を引き出す引き出し口が形成されているティッシュ・キッチンペーパーケース。
【０００８】
上記の構成によれば、ティッシュやキッチンペーパーを収納する袋型ケースであり、例えば、軽量な紙を使用する事でティッシュ・キッチンペーパーを入れても軽量でデザインも豊富な為場所に応じてデザインを変える事もでき、更に上部に紐を取り付ける事で、どこにでも設置又は持ち運ぶ事ができ、今まで置き場所に困っていた、キッチンや洗面所又は病院のベッドや車の中などのあらゆる場所に場所を取らずに設置でき、引き出し口を下に設ける事でどんな体勢や片手でも最後の一枚まで引き出しやすくし、上部には止め具を付け衛生的にし、外箱不要で収納できるコンパクトなエコ的・衛生的なティッシュ・キッチンペーパーケースを提供できる。  
【考案の効果】
【０００９】
本考案によれば、ティッシュ又はキッチンペーパーを片手でも引き出しやすくし、持ち運ぶのにも便利なティッシュ・キッチンペーパーケースを提供できる。
【図面の簡単な説明】
【００１０】
【図１】本考案に係るティッシュ・キッチンペーパーケースの斜視説明図である。
【図２】ティッシュ・キッチンペーパーケースの紙片の引き出し口を要する底面図である。
【考案を実施するための形態】
【００１１】
本考案の実施形態に係るティッシュ・キッチンペーパーケース１は紙でできており、計量で場所を取らず上部に紐を取り付け、紐の付け根には止め具をつける。下部にはホコリが入らないよう引き出し口３にビニールを取り付ける。
【００１２】
以下図面を用いて本考案に係るティッシュ・キッチンペーパーケースについて説明する。図１は本考案に係るティッシュ・キッチンペーパーケースの斜視説明図である。図２はティッシュ・キッチンペーパーケースの紙片の引き出し口を要する底面図である。
【００１３】
ティッシュ・キッチンペーパーケース１は、複数枚のティッシュ又はキッチンペーパーである紙片が一体にされ、一方向から連続的に各紙片を引き出すことができるように折り畳まれた紙片体を収容する。
ティッシュ・キッチンペーパーケース１は、袋状の本体１０と、手さげ紐２と、を備える。
【００１４】
本体１０は、上方に開口部４を有し、内部に紙片体を収容する。
また、本体１０には、紙片体が、各紙片を引き出す方向が下方に向けて収容され、底部に紙片を引き出す引き出し口３が形成されている。
【００１５】
引き出し口３は、ティッシュ・キッチンペーパーケース１の底面に設けられていて、各紙片を一枚ずつ引き出す引き出し口であり、この寸法は一般的なティッシュボックスと同様である。
【００１６】
手さげ紐２は、本体１０の開口部４近傍に設けられている。
【００１７】
ティッシュ・キッチンペーパーケース１は、二つ折され互いに係合している紙片体が収納され、開口近傍に設けられた手さげ紐２と、通常上面の所定位置にティッシュ・キッチンペーパーを一組ずつ又は一枚ずつ連続的に引き出すための引き出し口３が設けられている。また、ティッシュ・キッチンペーパーケース１は、通常の手さげ袋と同様の形状で、紙片体を上部より収容する開口部４を備える。
【符号の説明】
【００１８】
１  本考案に係るティッシュ・キッチンペーパーケース
２  手さげ紐
３  引き出し口
４  開口部
１０  本体
【図１】
0003187705.tif 000003
【図２】
0003187705.tif 000004